(57)【特許請求の範囲】
【請求項１】
無線端末の周囲に設けられた複数のアンテナと、
基地局相当の信号を生成する信号源と、
前記信号源で生成した信号を前記アンテナの数だけ分配する分配器と、
前記複数のアンテナから放射する電波が前記無線端末からみた各アンテナ方向の実環境の特性を持つように前記分配器の各出力を調節する第１のフェージング発生器と、
前記複数のアンテナに設けられ送信信号と受信信号を分離するサーキュレータと、
各アンテナで受信した受信信号に各アンテナ方向の実環境に対応する特性を持たせる第２のフェージング発生器と、
前記第２のフェージング発生器の出力を合成する混合器と、
前記混合器の出力に基づき、前記無線端末が放射する電波の受信信号に関しても、実環境相当の電波環境を摸擬し、前記無線端末の送受信性能を評価する受信信号評価装置と
を備えたことを特徴とする無線端末試験装置。
【請求項２】
無線端末の周囲に設けられた複数の送信用アンテナと、
基地局相当の信号を生成する第１及び第２の信号源と、
前記第１の信号源で生成した信号を前記送信用アンテナの数だけ分配する第１の分配器と、
前記第２の信号源で生成した信号を前記送信用アンテナの数だけ分配する第２の分配器と、
前記複数の送信用アンテナから放射する電波が前記無線端末からみた各アンテナ方向の実環境の特性をそれぞれ持つように前記第１の分配器の複数の出力をそれぞれ調節する複数の第１のフェージング発生器と、
前記複数の送信用アンテナから放射する電波が前記無線端末からみた各アンテナ方向の実環境の特性をそれぞれ持つように前記第２の分配器の複数の出力をそれぞれ調節する複数の第２のフェージング発生器と、
前記第１及び第２のフェージング発生器の出力をそれぞれ合成して前記複数の送信用アンテナにそれぞれ供給する複数の混合器と
を備えたことを特徴とする無線端末試験装置。
【請求項３】
さらに、前記無線端末の近傍に中心を持つ円上を、前記複数のアンテナを支持する移動可能支持台が任意に移動可能な移動用レールを備えたことを特徴とする請求項１又は２記載の無線端末試験装置。
【請求項４】
さらに、前記移動可能支持台に設けられ前記アンテナを支持するとともに上下に移動可能である上下移動機構を備えたことを特徴とする請求項３記載の無線端末試験装置。
【発明の詳細な説明】
【０００１】
【発明の属する技術分野】
この発明は、実環境相当の電波環境を屋内に作り出し、無線端末の性能を評価する無線端末試験装置に関するものである。
【０００２】
【従来の技術】
従来の無線端末試験装置について図面を参照しながら説明する。図１２は、例えば特開平７−１６２３７６号公報に示された従来の無線端末試験装置の構成を示す図である。
【０００３】
発信器１０２で励振された電波は、基地局アンテナ１０１から放射された後、反射板１１９で反射され無線端末１０３で受信される。また、一部の電波は、反射板１１９で反射された後、散乱体１３４で散乱され無線端末１０３で受信される。
【０００４】
本試験装置において、反射板１１９や散乱体１３４の大きさや位置を変えたり、発信器１０２から放射する電波に遅延を持たせた電波を含ませるなどして、無線端末１０３の位置に様々な電波環境を作り出すことができる。
【０００５】
実環境における電波環境では、無線端末に様々な振幅、遅延時間、偏波、方向で多数の電波が到来するマルチパス伝搬環境である。しかし、従来の無線端末試験装置では、一つのアンテナ１０１から放射された電波を反射板１１９や散乱体１３４で散乱し、無線端末１０３の位置に様々な電波環境を作り出しているため、実環境に相当する任意の電波環境を作り出すことができない。
【０００６】
まず、電波の到来方向によって大きく電波の特性が異なる電波環境を作り出すことができない。例えば、到来方向によって数１００ｍの距離に相当する遅延時間差がある電波環境は、試験装置が設置される環境の大きさに制限があるため、作り出すことはできない。
【０００７】
また、無線端末１０３には反射板１１９や散乱体１３４による散乱波が到達するため、各マルチパス波の電界強度、遅延時間、偏波などを正確にコントロールすることができない。
【０００８】
さらに、散乱体１３４間の多重散乱波など予想の困難な電波が多数含まれるため、実環境相当のマルチパス波だけを正確に再現することができないなどの問題点がある。
【０００９】
【発明が解決しようとする課題】
上述したような従来の無線端末試験装置では、実環境相当の任意の電波環境を作り出すことができないという問題点があった。
【００１０】
この発明は、前述した問題点を解決するためになされたもので、無線端末の近傍領域に、複数の電波の到来方向、振幅、遅延時間が実環境相当の電波環境を作り出すことができる無線端末試験装置を得ることを目的とする。
【００１７】
【課題を解決するための手段】
この発明に係る無線端末試験装置は、無線端末の周囲に設けられた複数のアンテナと、基地局相当の信号を生成する信号源と、前記信号源で生成した信号を前記アンテナの数だけ分配する分配器と、前記複数のアンテナから放射する電波が前記無線端末からみた各アンテナ方向の実環境の特性を持つように前記分配器の各出力を調節する第１のフェージング発生器と、前記複数のアンテナに設けられ送信信号と受信信号を分離するサーキュレータと、各アンテナで受信した受信信号に各アンテナ方向の実環境に対応する特性を持たせる第２のフェージング発生器と、前記第２のフェージング発生器の出力を合成する混合器と、前記混合器の出力に基づき、前記無線端末が放射する電波の受信信号に関しても、実環境相当の電波環境を摸擬し、前記無線端末の送受信性能を評価する受信信号評価装置とを備えたものである。
【００１８】
また、この発明に係る無線端末試験装置は、無線端末の周囲に設けられた複数の送信用アンテナと、基地局相当の信号を生成する第１及び第２の信号源と、前記第１の信号源で生成した信号を前記送信用アンテナの数だけ分配する第１の分配器と、前記第２の信号源で生成した信号を前記送信用アンテナの数だけ分配する第２の分配器と、前記複数の送信用アンテナから放射する電波が前記無線端末からみた各アンテナ方向の実環境の特性をそれぞれ持つように前記第１の分配器の複数の出力をそれぞれ調節する複数の第１のフェージング発生器と、前記複数の送信用アンテナから放射する電波が前記無線端末からみた各アンテナ方向の実環境の特性をそれぞれ持つように前記第２の分配器の複数の出力をそれぞれ調節する複数の第２のフェージング発生器と、前記第１及び第２のフェージング発生器の出力をそれぞれ合成して前記複数の送信用アンテナにそれぞれ供給する複数の混合器とを備えたものである。
【００２１】
また、この発明に係る無線端末試験装置は、さらに、前記無線端末の近傍に中心を持つ円上を、前記複数のアンテナを支持する移動可能支持台が任意に移動可能な移動用レールを備えたものである。
【００２２】
また、この発明に係る無線端末試験装置は、さらに、前記移動可能支持台に設けられ前記アンテナを支持するとともに上下に移動可能である上下移動機構を備えたものである。
【００２４】
【発明の実施の形態】
実施の形態１．
この発明の実施の形態１に係る無線端末試験装置について図面を参照しながら説明する。図１は、この発明の実施の形態１に係る無線端末試験装置の構成を示す図である。なお、各図中、同一符号は同一又は相当部分を示す。
【００２５】
図１において、１は無線端末、２は無線端末支持台、３ａ、３ｂ、及び３ｃは送信用アンテナ、４は信号源、５は分配器、６ａ、６ｂ、及び６ｃはフェージング発生器である。
【００２６】
図１は、３つのアンテナを用いた装置の例である。この試験装置により、実環境に相当する電波環境を作り出す方法について説明する。
【００２７】
信号源４で生成した信号を分配器５で送信用アンテナ３ａ〜３ｃの数だけ分配し、フェージング発生器６ａ〜６ｃを介して各送信用アンテナ３ａ〜３ｃから放射する。
【００２８】
この際、各送信用アンテナ３ａ〜３ｃから放射する電波が、無線端末１からみた各送信用アンテナ方向の実環境の特性を持つように、フェージング発生器６ａ〜６ｃで各信号を調節する。これを実現するフェージング発生器６ａ〜６ｃは、任意の振幅、遅延時間を有する多数の電波で、さらにそれぞれが時間変化するようにすればよい。
【００２９】
このようなフェージング発生器６ａ〜６ｃは、フェージングシミュレータやＤＳＰなどで構成可能である。各送信用アンテナ３ａ〜３ｃから放射される電波は、そのアンテナ方向に対する実環境相当の電波であるため、 無線端末１の近傍に様々な方向から様々な電波が到来する実環境相当の電波環境が作り出すことができる。
【００３０】
すなわち、この実施の形態１に係る無線端末試験装置は、無線端末１の周囲に複数のアンテナ３ａ〜３ｃを設け、基地局相当の信号源４をアンテナの数だけ分配し、それぞれの信号に各アンテナ方向の実環境に対応する特性を持たせ、各アンテナから放射し、無線端末１の近傍領域に実環境相当の電波環境を作り、無線端末１の性能を評価するものである。
【００３１】
この実施の形態１によれば、複数の方向から任意の特性を有する電波を放射することにより、無線端末１の近傍領域に、複数の電波の到来方向、振幅、遅延時間が実環境相当の電波環境を作り出すことができるという効果がある。
【００３２】
実施の形態２．
この発明の実施の形態２に係る無線端末試験装置について図面を参照しながら説明する。図２は、この発明の実施の形態２に係る無線端末試験装置の構成を示す図である。
【００３３】
図２において、１は無線端末、２は無線端末支持台、３ａ、３ｂ、及び３ｃは２種類の偏波が送信可能な偏波共用送信用アンテナ、４は信号源、５は分配器、６ａ〜６ｆはフェージング発生器である。
【００３４】
図２では、３つの偏波共用送信用アンテナ３ａ〜３ｃを用いて、無線端末１の近傍に偏波特性も含めた実環境相当の電波環境を作り出す装置を示す。
【００３５】
この試験装置による実環境相当の電波環境を作りだす手順は実施の形態１と同じであるが、２種類の偏波特性も含めた実環境相当の電波環境を作り出すため、信号源４の信号を、実施の形態１の場合の２倍だけ分配し、偏波ごとに異なる電波環境を再現するように異なるフェージング発生器６ａ〜６ｆを介して、偏波共用送信用アンテナ３ａ〜３ｃから放射する。各アンテナ３ａ〜３ｃから放射される電波は、そのアンテナ方向に対する偏波特性も含めた実環境相当の電波であるため、 無線端末１の近傍に偏波特性も含めた実環境相当の電波環境が作り出すことができる。
【００３６】
すなわち、この実施の形態２に係る無線端末試験装置は、各アンテナの位置に２種類の異なる偏波のアンテナを設け、あるいは１つのアンテナで２種類の偏波を放射可能なアンテナを設け、各アンテナから偏波特性を含めた電波を放射し、無線端末１の近傍領域に実環境相当の電波環境を作り、無線端末１の性能を評価するものである。
【００３７】
この実施の形態２によれば、複数の方向から偏波特性を含めた任意の特性を有する電波を放射することにより、無線端末１の近傍領域に、複数の電波の偏波特性も含めた実環境相当の電波環境を作り出すことができるという効果がある。
【００３８】
実施の形態３．
この発明の実施の形態３に係る無線端末試験装置について図面を参照しながら説明する。図３は、この発明の実施の形態３に係る無線端末試験装置の構成を示す図である。
【００３９】
図３は、この実施の形態３を上記の実施の形態１に適用し、送信用アンテナ３ａ〜３ｃから信号源４までの部分を省略した無線端末試験装置の構成図である。
【００４０】
図３において、１は無線端末、２は無線端末支持台、３ａ、３ｂ及び３ｃは送信用アンテナ、７ａ及び７ｂは反射板である。
【００４１】
送信用アンテナ３ａから放射された電波は、直接、無線端末１には到達せず、反射板７ａで反射されて到達するように、送信用アンテナ３ａの指向性および送信用アンテナ３ａと反射板７ａの位置を調節する。
【００４２】
また、送信用アンテナ３ｃに関しても同様に、反射板７ｂを介して無線端末１を照射するように調節するものとする。本実施の形態３により、実施の形態１における送信用アンテナ３ａ、３ｃの方向の代替機構を実現することができる。
【００４３】
すなわち、この実施の形態３に係る無線端末試験装置は、上記の実施の形態１及び２における無線端末試験装置において、一部のアンテナの代わりに、金属平板（反射板）と、金属平板を照射するアンテナを設け、代替機構としたものである。
【００４４】
この実施の形態３によれば、反射板を傾けることにより容易に無線端末へ到来する電波の方向を変える事ができるという効果がある。
【００４５】
実施の形態４．
この発明の実施の形態４に係る無線端末試験装置について図面を参照しながら説明する。図４は、この発明の実施の形態４に係る無線端末試験装置の構成を示す図である。
【００４６】
図４は、この実施の形態４を実施の形態１に適用した無線端末試験装置の構成図である。
【００４７】
図４において、１は無線端末、２は無線端末支持台、３ａ、３ｂ及び３ｃは送信用アンテナ、４は信号源、５は分配器、６ａ、６ｂ及び６ｃはフェージング発生器、８は無線端末１のベースバンド信号を取り出し、その受信信号を評価する受信信号評価装置である。
【００４８】
本実施の形態４では、実環境相当の電波環境に置かれた無線端末１に、ベースバンド信号を取出す機構を設け、その信号が所望のものか比較することにより、無線端末１の受信性能を評価することができる。
【００４９】
すなわち、この実施の形態４に係る無線端末試験装置は、実施の形態１〜３記載の無線端末試験装置において、無線端末内のベースバンド信号を取り出す機構を設け、無線端末の受信性能を評価するものである。
【００５０】
この実施の形態４によれば、無線端末１が受信したベースバンド信号を評価することにより、実環境相当の電波環境下における無線端末１の受信性能を容易に評価できるという効果がある。
【００５１】
実施の形態５．
この発明の実施の形態５に係る無線端末試験装置について図面を参照しながら説明する。図５は、この発明の実施の形態５に係る無線端末試験装置の構成を示す図である。
【００５２】
図５は、この実施の形態５を実施の形態１に適用した無線端末試験装置の構成図である。
【００５３】
図５において、１は無線端末、２は無線端末支持台、３ａ、３ｂ及び３ｃは送信用アンテナ、４は信号源、５は分配器、６ａ、６ｂ及び６ｃはフェージング発生器、９はビットエラーレートを測定するビットエラーレート測定器である。
【００５４】
本実施の形態５では、実環境相当の電波環境に置かれた無線端末１の受信ベースバンド信号と信号源４からの信号を比較する機構により、無線端末１のビットエラーレートを評価することができる。
【００５５】
すなわち、この実施の形態５に係る無線端末試験装置は、実施の形態１〜３の無線端末試験装置において、基地局相当の信号源４と無線端末内のベースバンド信号を比較する機構を設け、ビットエラーレートの評価を行うものである。
【００５６】
この実施の形態５によれば、無線端末１が受信したベースバンド信号と、元の信号を比較することにより、実環境相当の電波環境下におけるビットエラーレートを容易に測定できるという効果がある。
【００５７】
実施の形態６．
この発明の実施の形態６に係る無線端末試験装置について図面を参照しながら説明する。図６は、この発明の実施の形態６に係る無線端末試験装置の構成を示す図である。
【００５８】
図６は、この実施の形態６を実施の形態１に適用した無線端末試験装置の構成図である。
【００５９】
図６において、１は無線端末、２は無線端末支持台、３ａ、３ｂ及び３ｃは送信用アンテナ、４は信号源、５は分配器、６ａ、６ｂ及び６ｃはフェージング発生器、１０は受信用アンテナ、１１は受信信号評価装置である。
【００６０】
本実施の形態６では、無線端末１が信号を受信し、さらに応答信号を送信したものを受信用アンテナ１０で受信し、受信信号評価装置１１により、この受信信号が所望のものか評価することにより、無線端末１の送信および受信性能を評価することができる。
【００６１】
すなわち、この実施の形態６に係る無線端末試験装置は、実施の形態１〜３の無線端末試験装置において、無線端末１の周囲に一つの受信用のアンテナ１０を設け、無線端末１の送受信性能を評価するものである。
【００６２】
この実施の形態６によれば、無線端末１が信号を受信し、応答した信号を評価することにより、実環境相当の電波環境下における無線端末１の送受信性能を容易に評価できるという効果がある。
【００６３】
実施の形態７．
この発明の実施の形態７に係る無線端末試験装置について図面を参照しながら説明する。図７は、この発明の実施の形態７に係る無線端末試験装置の構成を示す図である。
【００６４】
図７は、この実施の形態７を実施の形態１に適用した無線端末試験装置の構成図である。
【００６５】
図７において、１は無線端末、２は無線端末支持台、３ａ、３ｂ及び３ｃは送信および受信用アンテナ、４は信号源、５は分配器、６ａ〜６ｃはフェージング発生器である。
【００６６】
また、同図において、１１は受信信号評価装置、１２ａ、１２ｂ及び１２ｃは送信信号と受信信号を分離するサーキュレータ、１３ａ〜１３ｃはフェージング発生器、１４は混合器である。
【００６７】
本実施の形態７では、送信および受信用アンテナ３ａ、３ｂ及び３ｃで受信した信号をサーキュレータ１２ａ、１２ｂ及び１２ｃで取り出し、受信信号に関しても実環境相当の電波環境を作り出すように、フェージング発生器１３ａ、１３ｂ及び１３ｃで電波特性を生成し、これらを混合器１４で合成し受信信号評価装置１１で評価する、本実施の形態７では、無線端末１が送信する電波に関しても、実環境相当の電波環境を考慮することができる。
【００６８】
すなわち、この実施の形態７に係る無線端末試験装置は、実施の形態１〜３の無線端末試験装置において、各送信用アンテナ３ａ〜３ｃにサーキュレータ１２ａ〜１２ｃを設け、あるいは各送信用アンテナの近傍に送信用アンテナと対で受信用アンテナを設け、各アンテナで受信した受信信号に各アンテナ方向の実環境に対応する特性を持たせて合成し、無線端末１が放射する電波の受信信号に関しても、実環境相当の電波環境を摸擬し、無線端末１の送受信性能を評価するものである。
【００６９】
この実施の形態７によれば、無線端末１が応答した信号に対しても電波環境の影響を考えることにより実環境相当の電波環境下における無線端末１の送受信性能を容易に評価できるという効果がある。
【００７０】
実施の形態８．
この発明の実施の形態８に係る無線端末試験装置について図面を参照しながら説明する。図８は、この発明の実施の形態８に係る無線端末試験装置の構成を示す図である。
【００７１】
図８は、この実施の形態８を実施の形態１に適用した無線端末試験装置の構成図である。
【００７２】
図８において、１は無線端末、２は無線端末支持台、３ａ、３ｂ及び３ｃは送信用アンテナ、４ａ、４ｂ及び４ｃは信号源、５ａ、５ｂ及び５ｃは分配器、６ａ〜６ｉはフェージング発生器、１４ａ、１４ｂ及び１４ｃは混合器である。
【００７３】
図８では、３つの信号源４ａ〜４ｃを用いて無線端末１の近傍に複数の基地局が存在する実環境相当の電波環境を作り出す装置である。本実施の形態８では、実施の形態１に基づく方法により各信号源に対して実環境相当の電波環境を作り出し、それらを混合器１４ａ〜１４ｃで合成し送信用アンテナ３ａ〜３ｃから放射し、無線端末１の近傍に、複数の基地局が存在する実環境相当の電波環境を作り出すものである。
【００７４】
すなわち、この実施の形態８に係る無線端末試験装置は、実施の形態１〜７の無線端末試験装置において、基地局相当の信号源を複数設け、各信号源をアンテナの数だけ分配し、それぞれの信号に各基地局に対する各アンテナ方向の実環境に対応する特性を持たせ、各アンテナから放射し、複数の基地局が存在する実環境相当の電波環境を作り、無線端末の性能を評価するものである。
【００７５】
この実施の形態８によれば、複数の基地局が存在する実環境相当の電波環境作り出すことにより、無線端末１のハンドオーバー性能を容易に評価できるという効果がある。
【００７６】
実施の形態９．
上記の実施の形態１〜８において実環境相当の電波環境を作り出すために、フェージング発生器を用いた。
【００７７】
この実施の形態９に係る無線端末試験装置は、実際の電波環境における、複数の電波の偏波、到来方向、振幅、遅延時間を測定し、これらの値を用いてフェージング発生器で電波特性を作り出すものである。
【００７８】
すなわち、この実施の形態９に係る無線端末試験装置は、実施の形態１〜８の無線端末試験装置において、実環境相当の電波環境を作り出すためのパラメーターに、実環境での電波環境の測定値を用いるものである。
【００７９】
この実施の形態９によれば、実際の電波環境のパラメータを直接用いて、電波環境を作り出すため、高精度な電波環境を再現できるという効果がある。
【００８０】
実施の形態１０．
上記の実施の形態１〜８において実環境相当の電波環境を作り出すために、フェージング発生器を用いた。
【００８１】
この実施の形態１０に係る無線端末試験装置は、実際の電波環境における、複数の電波の偏波、到来方向、振幅、遅延時間を、レイトレース法などのシミュレーションから求め、この計算値を用いて、フェージング発生器で電波特性を作り出すものである。
【００８２】
すなわち、この実施の形態１０に係る無線端末試験装置は、実施の形態１〜８の無線端末試験装置において、実環境相当の電波環境を作り出すためのパラメーターに、レイトレース法などのシミュレーションから求めた計算値を用いるものである。
【００８３】
この実施の形態１０によれば、計算機シミュレーションから電波環境を求めるため、測定の困難な場所や、測定不能な詳細な特性を求めることができるという効果がある。
【００８４】
実施の形態１１．
この発明の実施の形態１１に係る無線端末試験装置について図面を参照しながら説明する。図９は、この発明の実施の形態１１に係る無線端末試験装置の構成を示す図である。
【００８５】
上記の実施の形態１〜８において、実環境相当の電波環境を作り出すためには、送信用アンテナの方向が重要である。この実施の形態１１では、容易に送信用アンテナを移動できるようにしたものである。
【００８６】
図９において、１は無線端末、２は無線端末支持台、３ａ、３ｂ及び３ｃは送信用アンテナ、１５は移動用レール、１６ａ、１６ｂ及び１６ｃは移動可能支持台である。
【００８７】
本実施の形態１１によれば、実環境相当の電波環境を作り出すために、所望の方向に送信用アンテナ３ａ〜３ｃを移動可能である。
【００８８】
すなわち、この実施の形態１１に係る無線端末試験装置は、実施の形態１〜１０の無線端末試験装置において、被試験端末の近傍に中心を持つ円上を複数のアンテナが任意に移動可能な機構を設け、実環境における電波の到来方向に容易にアンテナを移動することができるものである。
【００８９】
この実施の形態１１によれば、所望の方向に容易に送信アンテナを移動することができるという効果がある。
【００９０】
実施の形態１２．
この発明の実施の形態１２に係る無線端末試験装置について図面を参照しながら説明する。図１０は、この発明の実施の形態１２に係る無線端末試験装置の構成を示す図である。
【００９１】
上記の実施の形態１〜８において、実環境相当の電波環境を作り出すためには、送信用アンテナの方向が重要である。この実施の形態１２では、送信用アンテナの方向を３次元空間で再現できるようにしたものである。
【００９２】
図１０において、１は無線端末、２は無線端末支持台、３ａ、３ｂ及び３ｃは送信用アンテナ、１５は移動用レール、１６ａ、１６ｂ及び１６ｃは移動可能支持台、１７ａ、１７ｂ及び１７ｃは送信用アンテナ３ａ〜３ｃを上下に移動する上下移動機構である。
【００９３】
実環境相当の電波環境を作り出すため、移動可能支持台１６ａ〜１６ｃおよび上下移動機構１７ａ〜１７ｃにより３次元空間での所望の方向に送信用アンテナ３ａ〜３ｃを移動可能である。
【００９４】
すなわち、この実施の形態１２に係る無線端末試験装置は、実施の形態１１の無線端末試験装置において、各アンテナに上下に移動可能な機構を設け、３次元空間における電波の到来方向を作り出せるものである。
【００９５】
この実施の形態１２によれば、３次元空間での電波の到来方向を再現し、より高精度な電波環境を作り出すことができるという効果がある。
【００９６】
実施の形態１３．
この発明の実施の形態１３に係る無線端末試験装置について図面を参照しながら説明する。図１１は、この発明の実施の形態１３に係る無線端末試験装置の構成を示す図である。
【００９７】
この実施の形態１３は、実施の形態１〜１２において、電波吸収体を配置し、不要な電波を取り除き高精度に無線端末の性能を評価できるようにしたものである。
【００９８】
図１１において、１は無線端末、２は無線端末支持台、３ａ、３ｂ及び３ｃは送信用アンテナ、４は信号源、５は分配器、６ａ、６ｂ及び６ｃはフェージング発生器、１８は電波吸収体である。
【００９９】
電波吸収体１８は、床面や壁面からの反射などの不用な電波を吸収するように適宜配置するものとする。本実施の形態１３により、不用な電波を抑制し高精度に無線端末１の試験を行うことができる。
【０１００】
すなわち、この実施の形態１３に係る無線端末試験装置は、実施の形態１〜１２の無線端末試験装置において、アンテナの周囲あるいは床面に電波吸収体１８を設置し、周囲環境あるいは床面による反射波などの不要な電波を取り除き、高精度に電波環境を作り出すことができるものである。
【０１０１】
この実施の形態１３によれば、不用な反射波を取り除き、より高精度に電波環境を作り出すことができるという効果がある。
【０１０８】
【発明の効果】
この発明に係る無線端末試験装置は、以上説明したとおり、無線端末の周囲に設けられた複数のアンテナと、基地局相当の信号を生成する信号源と、前記信号源で生成した信号を前記アンテナの数だけ分配する分配器と、前記複数のアンテナから放射する電波が前記無線端末からみた各アンテナ方向の実環境の特性を持つように前記分配器の各出力を調節する第１のフェージング発生器と、前記複数のアンテナに設けられ送信信号と受信信号を分離するサーキュレータと、各アンテナで受信した受信信号に各アンテナ方向の実環境に対応する特性を持たせる第２のフェージング発生器と、前記第２のフェージング発生器の出力を合成する混合器と、前記混合器の出力に基づき、前記無線端末が放射する電波の受信信号に関しても、実環境相当の電波環境を摸擬し、前記無線端末の送受信性能を評価する受信信号評価装置とを備えたので、実環境相当の電波環境下における無線端末の送受信性能を容易に評価できるという効果を奏する。
【０１０９】
また、この発明に係る無線端末試験装置は、以上説明したとおり、無線端末の周囲に設けられた複数の送信用アンテナと、基地局相当の信号を生成する第１及び第２の信号源と、前記第１の信号源で生成した信号を前記送信用アンテナの数だけ分配する第１の分配器と、前記第２の信号源で生成した信号を前記送信用アンテナの数だけ分配する第２の分配器と、前記複数の送信用アンテナから放射する電波が前記無線端末からみた各アンテナ方向の実環境の特性をそれぞれ持つように前記第１の分配器の複数の出力をそれぞれ調節する複数の第１のフェージング発生器と、前記複数の送信用アンテナから放射する電波が前記無線端末からみた各アンテナ方向の実環境の特性をそれぞれ持つように前記第２の分配器の複数の出力をそれぞれ調節する複数の第２のフェージング発生器と、前記第１及び第２のフェージング発生器の出力をそれぞれ合成して前記複数の送信用アンテナにそれぞれ供給する複数の混合器とを備えたので、無線端末のハンドオーバー性能を容易に評価できるという効果を奏する。
【０１１２】
また、この発明に係る無線端末試験装置は、以上説明したとおり、さらに、前記無線端末の近傍に中心を持つ円上を、前記複数のアンテナを支持する移動可能支持台が任意に移動可能な移動用レールを備えたので、所望の方向に容易に送信アンテナを移動することができるという効果を奏する。
【０１１３】
また、この発明に係る無線端末試験装置は、以上説明したとおり、さらに、前記移動可能支持台に設けられ前記アンテナを支持するとともに上下に移動可能である上下移動機構を備えたので、３次元空間での電波の到来方向を再現し、より高精度な電波環境を作り出すことができるという効果を奏する。
【図面の簡単な説明】
【図１】  この発明の実施の形態１に係る無線端末試験装置の構成を示す図である。
【図２】  この発明の実施の形態２に係る無線端末試験装置の構成を示す図である。
【図３】  この発明の実施の形態３に係る無線端末試験装置の構成を示す図である。
【図４】  この発明の実施の形態４に係る無線端末試験装置の構成を示す図である。
【図５】  この発明の実施の形態５に係る無線端末試験装置の構成を示す図である。
【図６】  この発明の実施の形態６に係る無線端末試験装置の構成を示す図である。
【図７】  この発明の実施の形態７に係る無線端末試験装置の構成を示す図である。
【図８】  この発明の実施の形態８に係る無線端末試験装置の構成を示す図である。
【図９】  この発明の実施の形態１１に係る無線端末試験装置の構成を示す図である。
【図１０】  この発明の実施の形態１２に係る無線端末試験装置の構成を示す図である。
【図１１】  この発明の実施の形態１３に係る無線端末試験装置の構成を示す図である。
【図１２】  従来の無線端末試験装置の構成を示す図である。
【符号の説明】
１  無線端末、２  無線端末支持台、３ａ、３ｂ、３ｃ  送信用アンテナ、４信号源、５  分配器、６ａ、６ｂ、６ｃ  フェージング発生器、７ａ、７ｂ  反射板、８  受信信号評価装置、９  ビットエラーレート測定器、１０  受信用アンテナ、１１  受信信号評価装置、１２ａ、１２ｂ、１２ｃ  サーキュレータ、１３ａ、１３ｂ、１３ｃ  フェージング発生器、１４  混合器、１５  移動用レール、１６ａ、１６ｂ、１６ｃ  移動可能支持台、１７ａ、１７ｂ、１７ｃ  上下移動機構、１８  電波吸収体。
【図１】
0004080596.tif 000002
【図２】
0004080596.tif 000003
【図３】
0004080596.tif 000004
【図４】
0004080596.tif 000005
【図５】
0004080596.tif 000006
【図６】
0004080596.tif 000007
【図７】
0004080596.tif 000008
【図８】
0004080596.tif 000009
【図９】
0004080596.tif 000010
【図１０】
0004080596.tif 000011
【図１１】
0004080596.tif 000012
【図１２】
0004080596.tif 000013